(57)【要約】【課題】簡単かつ精度良く防虫網を固定することができるサッシおよびサッシ構造体を提供すること。【解決手段】網部の各辺にテープ状補強材が取り付けられた防虫網を固定するためのサッシでは、中空状で４辺を有するサッシの本体部であって、４辺のうちの少なくとも１つの辺における側面に当該辺が延びる方向に平行に延びる第１のリブを有するサッシ本体部と、サッシ本体部の第１のリブを介してサッシ本体部に防虫網を取り付けて張るための張り材とを備え、張り材は、第１のリブを有するサッシ本体部の辺に対応する防虫網の辺のテープ状補強材を内包する溝を形成する溝形成部と、サッシ本体部の第１のリブに引っ掛けられる引っ掛け部とを有し、溝形成部が形成する溝の入口部分の隙間は、網部の厚みよりも大きく、テープ状補強材の厚みよりも小さく設定されており、溝形成部は、防虫網のテープ状補強材を側方から挿入可能なように側方が開放されている。【選択図】図３Ｂ
2019078057.tif 000002
【特許請求の範囲】
【請求項１】
網部の各辺にテープ状補強材を取り付けた防虫網を固定するためのサッシであって、
中空状で４辺を有するサッシの本体部であって、４辺のうちの少なくとも１つの辺における側面に当該辺が延びる方向に平行に延びる第１のリブを有するサッシ本体部と、
サッシ本体部の第１のリブを介してサッシ本体部に防虫網を取り付けて張るための張り材とを備え、
張り材は、第１のリブを有するサッシ本体部の辺に対応する防虫網の辺のテープ状補強材を内包する溝を形成する溝形成部と、サッシ本体部の第１のリブに引っ掛けられる引っ掛け部とを有し、
溝形成部が形成する溝の入口部分の隙間は、網部の厚みよりも大きく、テープ状補強材の厚みよりも小さく設定されており、
溝形成部は、防虫網のテープ状補強材を側方から挿入可能なように側方が開放されている、サッシ。
【請求項２】
サッシ本体部はさらに、第１のリブを有する辺の側面における第１のリブよりも内側に、張り材を係止する第２のリブを有する、請求項１に記載のサッシ。
【請求項３】
第２のリブは第１のリブが延びる方向と平行に延びており、第２のリブに溝形成部が接触した状態で張り材を回転させることで、第１のリブに引っ掛け部を引っ掛けられるように構成した、請求項２に記載のサッシ。
【請求項４】
サッシ本体部の第１のリブは、サッシ本体部の辺の表面に対して垂直に延びてからサッシ本体部の中心側に向かって湾曲しており、第１のリブの外面に張り材の引っ掛け部が接触して引っ掛けられる、請求項１から３のいずれか１つに記載のサッシ。
【請求項５】
張り材は、溝形成部の内側面から突出する突起を有し、当該突起は、溝に配置された防虫網のテープ状補強材の側面に接触可能である、請求項１から４のいずれか１つに記載のサッシ。
【請求項６】
サッシ本体部は、第１のリブを有する辺に隣接する角部に第１のリブが延在する方向に凹んだ凹部をさらに備え、
張り材は、引っ掛け部が第１のリブに引っ掛けられた状態においてサッシ本体部の角部に設けられた凹部に挿入される挿入位置と非挿入位置の間をスライド移動可能な挿入部を備えるロック部材を備える、請求項１から５のいずれか１つに記載のサッシ。
【請求項７】
請求項１から６のいずれか１つに記載のサッシと、
サッシの張り材の溝形成部に形成される溝に内包されたテープ状補強材と、テープ状補強材を各辺に取り付けた網部とを備える防虫網と、を備える、サッシ構造体。
【発明の詳細な説明】
【技術分野】
【０００１】
本発明は、サッシおよびサッシに防虫網を配置して構成されるサッシ構造体に関する。
【背景技術】
【０００２】
従来より、サッシに防虫網を配置して構成されるサッシ構造体が提案されている（例えば、特許文献１）。
【０００３】
特許文献１で提案される構造においては、防虫網の各辺に取り付けたテープ状補強材を、サッシに設けた凹状の溝に入れた状態で、サッシとは別部材の入れ子枠によって溝内に向けて押圧することで、防虫網の固定を行う。
【先行技術文献】
【特許文献】
【０００４】
【特許文献１】特許第５０２７０４３号公報
【発明の概要】
【発明が解決しようとする課題】
【０００５】
しかしながら、昨今では、簡単かつ精度良く防虫網を固定できるようにすることが求められている。特許文献１のサッシでは、防虫網のテープ状補強材をサッシの溝に入れる際に、テープ状補強材が長いためにテープ状補強材を完全に溝に入れた状態とすることが難しい場合がある。また、テープ状補強部材を溝に配置した状態で入れ子枠によって押圧する際に、テープ状補強材の位置ずれなどによって防虫網を精度良く固定できない場合がある。このように、簡単かつ精度良く防虫網を固定するという観点で未だ改善の余地があるといえる。
【０００６】
従って、本発明の目的は、前記問題を解決することにあって、簡単かつ精度良く防虫網を固定することができるサッシおよびサッシ構造体を提供することにある。
【課題を解決するための手段】
【０００７】
上記目的を達成するために、本発明は以下のように構成する。
【０００８】
本発明の一態様によれば、網部の各辺にテープ状補強材を取り付けた防虫網を固定するためのサッシであって、中空状で４辺を有するサッシの本体部であって、４辺のうちの少なくとも１つの辺における側面に当該辺が延びる方向に平行に延びる第１のリブを有するサッシ本体部と、サッシ本体部の第１のリブを介してサッシ本体部に防虫網を取り付けて張るための張り材とを備え、張り材は、第１のリブを有するサッシ本体部の辺に対応する防虫網の辺のテープ状補強材を内包する溝を形成する溝形成部と、サッシ本体部の第１のリブに引っ掛けられる引っ掛け部とを有し、溝形成部が形成する溝の入口部分の隙間は、網部の厚みよりも大きく、テープ状補強材の厚みよりも小さく設定されており、溝形成部は、防虫網のテープ状補強材を側方から挿入可能なように側方が開放されている、サッシを提供する。
【０００９】
本発明の別の一態様によれば、上記サッシと、サッシの張り材の溝形成部に形成される溝に内包されたテープ状補強材と、テープ状補強材を各辺に取り付けた網部とを備える防虫網と、を備える、サッシ構造体を提供する。
【発明の効果】
【００１０】
本発明のサッシおよびサッシ構造体によれば、簡単かつ精度良く防虫網を固定することができる。
【図面の簡単な説明】
【００１１】
【図１Ａ】防虫網の概略構成を示す斜視図
【図１Ｂ】防虫網の概略構成を示す側面図
【図２Ａ】防虫網が取り付けられるサッシの概略構成を示す斜視図
【図２Ｂ】防虫網が取り付けられるサッシの概略構成を示す側面図
【図３Ａ】サッシ構造体の概略構成を示す斜視図
【図３Ｂ】サッシ構造体の概略構成を示す側面図
【図４】防虫網をサッシに配置してサッシ構造体を構成する方法を説明するための概略図
【図５Ａ】防虫網をサッシに配置してサッシ構造体を構成する方法を説明するための概略図
【図５Ｂ】防虫網をサッシに配置してサッシ構造体を構成する方法を説明するための概略図
【図６Ａ】防虫網をサッシに配置してサッシ構造体を構成する方法を説明するための概略図
【図６Ｂ】防虫網をサッシに配置してサッシ構造体を構成する方法を説明するための概略図
【図６Ｃ】防虫網をサッシに配置してサッシ構造体を構成する方法を説明するための概略図
【図７】角部およびロック部材の周辺構成を示す概略分解斜視図
【図８Ａ】ロック部材の周辺構成を示す概略斜視図
【図８Ｂ】ロック部材の周辺構成を示す概略斜視図
【図９Ａ】ロック部材を用いて張り材を固定する前の状態を示す概略斜視図
【図９Ｂ】ロック部材を用いて張り材を固定した後の状態を示す概略斜視図
【発明を実施するための形態】
【００１２】
以下、本発明に係るサッシおよびそれを用いたサッシ構造体の例示的な実施形態について、添付の図面を参照しながら説明する。本発明は、以下の実施形態の具体的な構成に限定されるものではなく、同様の技術的思想に基づく構成が本発明に含まれる。
【００１３】
（実施の形態）
図１Ａ−図３Ｂを用いて、防虫網２、サッシ４、並びに防虫網２をサッシ４に取り付けて構成されるサッシ構造体６についてそれぞれ順に説明する。
【００１４】
図１Ａ、１Ｂはそれぞれ、防虫網２の概略構成を示す斜視図、側面図である。図２Ａ、２Ｂはそれぞれ、防虫網２および防虫網２が取り付けられるサッシ４の概略構成を示す斜視図、側面図である。図３Ａ、３Ｂはそれぞれ、防虫網２をサッシ４に取り付けたサッシ構造体６の概略構成を示す斜視図、側面図である。
【００１５】
図１Ａ、１Ｂに示す防虫網２は、網部８と、テープ状補強材１０とを備える。
【００１６】
網部８は、メッシュ状に編み込まれたシートである。本実施の形態の網部８は、４辺を有する略長方形状に構成される。網部８の具体例としては例えば、個々の隙間の大きさが１．４ｍｍ×１．４ｍｍの１８メッシュなどである。
【００１７】
テープ状補強材１０は、網部８の各辺に取り付けられたテープ状の部材である。テープ状補強材１０は、後述するサッシ４の張り材１４に保持される部分である。テープ状補強材１０は、防虫網２のコーナー部を除く端部を構成する。
【００１８】
テープ状補強材１０は、網部８よりも剛性の高い材料で形成されており、本実施の形態ではポリエステルである。ポリエステルはポリプロピレンなどと比較して、常温および常温から加熱された加熱状態でも変形しにくい性質を有する。
【００１９】
図１Ｂに示すように、テープ状補強材１０は、網部８の各辺を挟むように折り曲げられて網部８に取り付けられる。テープ状補強材１０は例えば高周波溶着技術によって網部８の各辺に固定される。
【００２０】
図１Ｂに示すように、網部８は厚みＤ１を有し、テープ状補強材１０は厚みＤ２を有する。厚みＤ２は厚みＤ１よりも大きい。網部８およびテープ状補強材１０に凹凸がある場合には、それぞれの平均的な厚みを厚みＤ１、Ｄ２としてもよい。
【００２１】
次に、図２Ａ、２Ｂに示すサッシ４は、防虫網２を保持および固定するための窓枠である。サッシ４は、住宅などの建造物に設けられた通風用の開口に固定されて使用される。使用時におけるサッシ４は鉛直方向に立つように固定されるが、図２Ａ、２Ｂなどでは水平方向に置かれた状態を例示する。
【００２２】
図２Ａ、２Ｂに示すサッシ４は、サッシ本体部１２と、張り材１４とを備える。
【００２３】
サッシ本体部１２は、サッシ４の本体部であって、建造物に設けられた通風用の開口に固定される部材である。図２Ａに示すサッシ本体部１２は中空状で４辺を有しており、中心部に開口１３を形成する。
【００２４】
サッシ本体部１２は、辺１６と、角部１８と、第１のリブ２０と、第２のリブ２２とを備える。
【００２５】
辺１６は、サッシ本体部１２の４辺を構成する部分である。辺１６は、サッシ本体部１２の土台として機能する。辺１６の４隅には角部１８が設けられている。角部１８は、辺１６の表面よりも突出した部材である。図２Ａに示すように、角部１８には複数の凹部１９が形成されている。凹部１９は張り材１４を固定するための開口であるが、詳細については後述する。
【００２６】
辺１６にはさらに、２つの突起として第１のリブ２０および第２のリブ２２が設けられている。
【００２７】
第１のリブ２０は、サッシ本体部１２の中心側から離れた外側に設けられた突起であり、第２のリブ２２は、サッシ本体部１２の中心側に近い内側に設けられた突起である。第１のリブ２０および第２のリブ２２はともに、それぞれが設けられたサッシ本体部１２の辺１６が延びるＡ方向に延在している。
【００２８】
第１のリブ２０は、張り材１４を引っ掛けるための突起である。図２Ｂに示すように、第１のリブ２０は、辺１６の表面である側面２４から垂直に延びてからサッシ本体部１２の中心側に向かって約９０度の円弧状に湾曲している。第１のリブ２０の外面に張り材１４が密着して引っ掛けられる。
【００２９】
第２のリブ２２は、張り材１４を係止するための突起である。図２Ｂに示すように、第２のリブ２２は辺１６の側面２４から垂直に延びており、辺１６の内縁を構成する。
【００３０】
上述した構成を有するサッシ本体部１２には、張り材１４が引っ掛けて取り付けられる。張り材１４は、防虫網２を保持するとともに保持した防虫網２をサッシ本体部１２に取り付けて張るための部材である。図２Ａに示すように、張り材１４は防虫網２の４辺のそれぞれに対応して４つ個別に設けられている。
【００３１】
図２Ｂに示すように、張り材１４は、溝形成部２６と、引っ掛け部２８とを備える。
【００３２】
溝形成部２６は、防虫網２のテープ状補強材１０を内包する溝Ｓを形成する部材である。溝形成部２６は、図２Ａ、２Ｂに示すように、テープ状補強材１０を側方から挿入可能なように側方が開放されている。
【００３３】
溝形成部２６には図２Ｂに示すように、防虫網２の網部８を通すための隙間３０が形成されている。隙間３０の幅は、前述した網部８の厚みＤ１よりも大きく、かつ、テープ状補強材１０の厚みＤ２よりも小さく設定される。このような設定により、側方から挿入したテープ状補強材１０を溝Ｓに配置した状態で、テープ状補強材１０が隙間３０から抜けないようにしながら、網部８を隙間３０に通して配置することができる。このようにして防虫網２を精度良く保持することができる。
【００３４】
また図２Ｂに示すように、溝形成部２６が形成する溝Ｓの内壁部には突起３２が設けられている。突起３２は、溝Ｓに配置されたテープ状補強材１０の側面に接触可能なように、溝形成部２６の内側面から略垂直に立ち上がっている。このような突起３２を設けることで、溝Ｓに配置したテープ状補強材１０の位置ずれを抑制することができ、防虫網２をより強固に保持することができる。
【００３５】
引っ掛け部２８は、前述したサッシ本体部１２の第１のリブ２０に張り材１４を引っ掛けるための部分である。本実施の形態の引っ掛け部２８は溝形成部２６と一体的に形成されている。引っ掛け部２８は溝形成部２６の角部から延びて、約９０度の円弧状に湾曲する。すなわち、引っ掛け部２８は前述した第１のリブ２０の湾曲形状に対応する湾曲形状を有している。このような湾曲形状を有することにより、引っ掛け部２８をサッシ本体部１２の第１のリブ２０の外面に密着させて引っ掛かることができる。
【００３６】
引っ掛け部２８を第１のリブ２０に引っ掛けた状態において、溝形成部２６は、前述したサッシ本体部１２の第２の突起２２に係止される。
【００３７】
上述した張り材１４をサッシ本体部１２に取り付けて構成されるサッシ構造体６について、図３Ａ、３Ｂを用いて説明する。図３Ｂに示すように、サッシ構造体６においては、第１のリブ２０に引っ掛け部２８が引っ掛かり、第２のリブ２２に溝形成部２６が係止されている。
【００３８】
また図３Ｂに示す状態では、テープ状補強材１０は、網部８に対して傾斜した状態で保持されている。さらにテープ状補強材１０の側面には突起３２が当接しており、テープ状補強材１０の位置ずれが生じないようになっている。このようにテープ状補強材１０を傾斜させた状態で保持することで、網部８を外側に引っ張ることができ（矢印Ｃ参照）、防虫網２をより強固に張ることができる。
【００３９】
また図３Ａに示すように、張り材１４はロック部材２７によってサッシ構造体１２の角部１８に固定されている。ロック部材２７の具体的な構成については後述する。
【００４０】
次に、上述した防虫網２をサッシ４に取り付ける方法について、図４−図６Ｃを用いて説明する。
【００４１】
まず、防虫網２と張り材１４を準備する（ステップＳ１）。具体的には、図４に示すように、前述した構成を有する防虫網２と張り材１４をそれぞれ準備する。図４では、防虫網２の４辺のうちの１つの辺に取り付けられたテープ状補強材１０と、それに対応する１つの張り材１４のみを例示する。
【００４２】
次に、防虫網２のテープ状補強材１０を張り材１４の溝Ｓに挿入する（ステップＳ２）。具体的には、張り材１４の溝形成部２６に形成された溝Ｓが側方に開放されており、その開放部分からテープ状補強材１０を挿入する（矢印Ｂ参照）。このとき、テープ状補強材１０を溝Ｓに向けると同時に、張り材１４の隙間３０に網部８が通るように防虫網２を移動させる。
【００４３】
テープ状補強材１０を溝Ｓに配置した状態を図５Ａ、５Ｂに示す。図５Ｂに示すように、溝形成部２６に設けられた隙間３０は、網部８の厚みＤ１よりも広く、テープ状補強材１０の厚みＤ２よりも狭い。よって、テープ状補強材１０を溝Ｓに配置しながら隙間３０から抜けないようにすることができ、防虫網２の脱落を防止することができる。
【００４４】
またテープ状補強材１０の側面には、溝形成部２６の内壁部から突出した突起３２が当接している。これにより、テープ状補強材１０を溝Ｓ内で傾斜した状態で保持することができ、テープ状補強材１０の位置ずれを抑制することができる。
【００４５】
次に、張り材１４をサッシ本体部１２に取り付ける（ステップＳ３）。具体的には、図６Ａに示すように、テープ状補強材１０を保持した張り材１４の溝形成部２６をサッシ本体部１２の側面２４に接触させる。このとき、溝形成部２６をサッシ本体部１２の側面２４および第２のリブ２２に当接させる。
【００４６】
この状態で、第２のリブ２２を支点として張り材１４をＲ方向に回転させる。このように張り材１４をＲ方向に回転させることで、図６Ｂに示すように、引っ掛け部２８がサッシ本体部１２の第１のリブ２０に引っ掛かる。前述したように第１のリブ２０および引っ掛け部２８は対応する湾曲形状を有しており、Ｒ方向への回転によって第１のリブ２０の外面に引っ掛け部２８をスムーズに引っ掛けて密着させることができる。
【００４７】
図６Ｂ、６Ｃに示す状態では、第１のリブ２０に引っ掛け部２８が引っ掛かり、第２のリブ２２に溝形成部２６が係止されている。これにより、張り材１４がサッシ本体部１２から脱落することを防止することができ、張り材１４をサッシ本体部１２に精度良く取り付けて固定することができる。
【００４８】
上述したように、本実施の形態のサッシ４は、網部８の各辺にテープ状補強材１０を取り付けた防虫網２を固定するためのサッシである。サッシ４は、サッシ本体部１２と、張り材１４とを備える。サッシ本体部１２は、中空状で４辺を有するサッシ４の本体部である。サッシ本体部１２は、４辺のうちの少なくとも１つの辺１６における側面２４に、当該辺１６が延びるＡ方向に平行に延びる第１のリブ２０を有する。張り材１４は、サッシ本体部１２の第１のリブ２０を介してサッシ本体部１２に防虫網２を取り付けて張るための部材である。張り材１４は、溝形成部２６と、引っ掛け部２８とを有する。溝形成部２６は、第１のリブ２０を有するサッシ本体部１２の辺１６に対応する防虫網２の辺のテープ状補強材１０を内包する溝Ｓを形成する部分である。引っ掛け部２８は、サッシ本体部１２の第１のリブ２０に引っ掛けられる部分である。このような構成において、溝形成部２６が形成する溝Ｓの入口部分の隙間３０は、網部８の厚みＤ１よりも大きく、テープ状補強材１０の厚みＤ２よりも小さく設定されている。さらに溝形成部２６は、防虫網２のテープ状補強材１０を側方から挿入可能なように側方が開放されている。
【００４９】
このような構成のサッシ４によれば、張り材１４における溝形成部２６の溝Ｓに側方から防虫網２のテープ状補強材１０を挿入することで、テープ状補強材１０を隙間３０から抜けないようにしながら防虫網２を張り材１４に保持させることができる。さらに、このように防虫網２を保持した張り材１４において引っ掛け部２８をサッシ本体部１２の第１の突起２０に引っ掛けることで、サッシ本体部１２に防虫網２を取り付けて張ることができる。このような方法によれば、難しい作業を行うことなく簡単に防虫網２を固定することができるとともに、防虫網２の脱落を防止して精度良く固定することができる。すなわち、簡単かつ精度良く防虫網２を固定することができる。
【００５０】
また本実施の形態のサッシ４によれば、サッシ本体部１２はさらに、第１のリブ２０を有する辺１６の側面２４における第１のリブ２０よりも内側に、張り材１４を係止する第２のリブ２２を有する。このように第２のリブ２２を設けることで、張り材１４をサッシ本体部１２により精度良く固定することができる。
【００５１】
また本実施の形態のサッシ４によれば、第２のリブ２２は第１のリブ２０が延びるＡ方向と平行に延びている。このような構成において、第２のリブ２２に溝形成部２６が接触した状態で張り材１４をＲ方向に回転させることで、第１のリブ２０に引っ掛け部２８を引っ掛けるように構成している。このような構成によれば、張り材１４をサッシ本体部１２に簡単に引っ掛けることができる。
【００５２】
また本実施の形態のサッシ４によれば、サッシ本体部１２の第１のリブ２０は、サッシ本体部１２の辺１６の表面に対して垂直に延びてからサッシ本体部１２の中心側に向かって湾曲している。このような第１のリブ２０の外面に張り材１４の引っ掛け部２８が接触して引っ掛けられる。このような構成によれば、張り材１４の回転動作によって、第１のリブ２０に引っ掛け部２８をスムーズに引っ掛けることができる。
【００５３】
また本実施の形態のサッシ４によれば、張り材１４は、溝形成部２６の内側面から突出する突起３２を有する。突起３２は、溝Ｓに配置された防虫網２のテープ状補強材１０の側面に接触可能である。このように溝形成部２６の内側面に突起３２を設けることで、溝Ｓに配置した防虫網２の位置ずれを抑制することができ、防虫網２をより精度良く保持することができる。
【００５４】
次に、図２Ａなどに示した張り材１４のロック部材２７について、図７−９Ｂを用いて説明する。
【００５５】
図７は、サッシ本体部１２の角部１８および張り材１４のロック部材２７の周辺構成を示す概略分解斜視図である。図７に示すように、角部１８には凹部１９が２箇所設けられている。それぞれの凹部１９は、サッシ本体部１２の辺１６が延びる方向であるＡ方向に凹んでいる。本実施の形態の凹部１９は直方体状の溝として形成されており、その断面形状は矩形状である。
【００５６】
次に、張り材１４のロック部材２７の構成について、図８Ａ、８Ｂを用いて説明する。図８Ａ、８Ｂは、ロック部材２７の周辺構成を示す概略斜視図である。
【００５７】
図８Ａ、８Ｂに示すように、ロック部材２７は、挿入部３４と、摘み部３６とを備える。挿入部３４は、前述した角部１８の凹部１９に挿入される部分である。挿入部３４の断面形状は、凹部１９に挿入可能なように、凹部１９の断面形状に対応する直方体形状とされている。挿入部３４は、摘み部３６と一体的に設けられている。摘み部３６は、ユーザがロック部材２７を操作するために掴む部分である。摘み部３６は、張り材１４の端部に設けられた切欠き３８に配置される。摘み部３６は切欠き３８の中をＡ方向に移動可能な状態で保持されている。摘み部３６に対して挿入部３４はＡ方向に沿って角部１８に近い側に突出している。
【００５８】
上述した構成によれば、ロック部材２７を用いて張り材１４をサッシ本体部１２の角部１８に解除可能に固定することができる。具体的には、図９Ａ、９Ｂを用いて説明する。図９Ａは、ロック部材２７により張り材１４を固定する前の状態を示し、図９Ｂは、ロック部材２７により張り材１４を固定した後の状態を示す。
【００５９】
図９Ａに示すように、摘み部３６が角部１８から離れた位置にあるときには、挿入部３４は角部１８の凹部１９に挿入されていない（非挿入位置）。このとき、張り材１４は角部１８に固定されておらず、サッシ本体部１２から取り外すことができる。一方で、図９Ａに示す状態から摘み部３６をＡ方向に移動させて角部１８に近付けると、図９Ｂに示すように挿入部３４が角部１８の凹部１９に挿入される（挿入位置）。このとき、張り材１４はＡ方向に交差する方向への移動が規制される。すなわち、摘み部３６を元の位置に戻すようにＡ方向に移動させない限り、張り材１４は角部１８に固定された状態となる。
【００６０】
一方で、摘み部３６を元の位置に戻すようにＡ方向に移動させると、図９Ａに示す状態に戻って張り材１４の固定が解除され、サッシ本体部１２から取り外し可能となる。
【００６１】
このようにして、張り材１４をサッシ本体部１２に解除可能に固定することができる。
【００６２】
上述したように、本実施の形態のサッシ４によれば、サッシ本体部１２は、第１のリブ２０を有する辺１６に隣接する角部１８に、第１のリブ２０が延在するＡ方向に凹んだ凹部１９をさらに備える。さらに張り材１４はロック部材２７を備え、ロック部材２７は、凹部１９に挿入される挿入位置と非挿入位置の間をスライド移動可能な挿入部３４を備える。このような構成によれば、ロック部材２７を用いて張り材１４をサッシ本体部１２に解除可能に固定することができ、ユーザの利便性を向上させることができる。
【００６３】
以上、上述の実施の形態を挙げて本発明を説明したが、本発明は上述の実施の形態に限定されない。例えば、実施の形態では、第１のリブ２０に加えて第２のリブ２２を設ける場合について説明したが、このような場合に限らない。第２のリブ２２を設けずに第１のリブ２０のみを設けてもよい。ただし、第１のリブ２０に加えて第２のリブ２２を設けた方が、サッシ本体部１２に張り材１４をより強固に取り付けることができる。
【００６４】
また実施の形態では、サッシ本体部１２の第１のリブ２０および張り材１４が対応する湾曲形状を有する場合について説明したが、このような場合に限らない。第１のリブ２０に張り材１４を引っ掛けることができれば、それぞれの形状は任意の形状であってもよい。ただし、サッシ本体部１２の第１のリブ２０および張り材１４が対応する湾曲形状を有していれば、張り材１４の回転動作によって、第１のリブ２０に引っ掛け部２８をスムーズに引っ掛けて密着させることができる。
【００６５】
また実施の形態では、溝形成部２６の内側面に突起３２を設ける場合について説明したが、このような場合に限らず、突起３２を設けない場合であってもよい。ただし、突起３２を設けた方が、溝Ｓに配置した防虫網２の位置ずれを抑制することができる。
【００６６】
また実施の形態では、張り材１４をサッシ本体部１２の角部１８に固定するためのロック部材２７を設ける場合について説明したが、このような場合に限らず、ロック部材２７を設けない場合であってもよい。ただし、ロック部材２７を設けた方が、張り材１４をサッシ本体部１２に精度良く固定することができる。
【００６７】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲および思想を逸脱することなく実現し得るものである。
【００６８】
なお、前記様々な実施の形態および変形例のうちの任意の実施の形態あるいは変形例を適宜組み合わせることにより、それぞれの有する効果を奏するようにすることができる。
【産業上の利用可能性】
【００６９】
本発明は、サッシおよびサッシに防虫網を配置して構成されるサッシ構造体であれば適用可能である。
【符号の説明】
【００７０】
２  防虫網
４  サッシ
６  サッシ構造体
８  網部
１０  テープ状補強材
１２  サッシ本体部
１４  張り材
１６  辺
１８  角部
１９  凹部
２０  第１のリブ
２２  第２のリブ
２４  側面
２６  溝形成部
２７  ロック部材
２８  引っ掛け部
３０  隙間
３２  突起
３４  挿入部
３６  摘み部
３８  切欠き
Ｓ  溝
【図１Ａ】
2019078057.tif 000003
【図１Ｂ】
2019078057.tif 000004
【図２Ａ】
2019078057.tif 000005
【図２Ｂ】
2019078057.tif 000006
【図３Ａ】
2019078057.tif 000007
【図３Ｂ】
2019078057.tif 000008
【図４】
2019078057.tif 000009
【図５Ａ】
2019078057.tif 000010
【図５Ｂ】
2019078057.tif 000011
【図６Ａ】
2019078057.tif 000012
【図６Ｂ】
2019078057.tif 000013
【図６Ｃ】
2019078057.tif 000014
【図７】
2019078057.tif 000015
【図８Ａ】
2019078057.tif 000016
【図８Ｂ】
2019078057.tif 000017
【図９Ａ】
2019078057.tif 000018
【図９Ｂ】
2019078057.tif 000019